(57)【要約】【課題】消耗品の消費抑制と使用効率の向上化が可能な液体クロマトグラフ装置を実現する。【解決手段】初回の準備運転８０１ではＡＭ９：００の作業予定時刻８０２に合わせて装置の休止から分析状態へ移行させる予定日時８０３を翌日ＡＭ９：００の４時間前ＡＭ５：００に設定する。実際のポンプ安定化時間８０４、カラムオーブン安定化時間８０５、ベースライン安定化時間８０６を合計した準備動作時間８０７は２時間である。準備動作時間８０７により次回準備運転開始時刻を補正する。２回目の準備運転８０８では準備開始時刻８０９を自動補正し余裕時間が１０分でＡＭ６：５０とする。装置はＡＭ６：５０に準備を開始しポンプの安定化時間８１０、カラムオーブンの安定化時間８１１、ベースラインの安定化時間８１２を経て、ＡＭ９：００の作業予定時刻８０２の前に安定化が終了する。【選択図】図１
2011099704.tif 000002
【特許請求の範囲】
【請求項１】
測定試料中の特定成分を分離し、分離した特定成分を検出する成分測定部と、
分析開始時間を指定する入力手段と、
上記成分測定部の動作を制御し、上記成分測定部の動作開始から安定化に要するまでの安定化時間を計時して記憶し、上記入力手段から指定された分析開始時間に上記成分測定部が安定化するように、上記記憶された安定化時間に基づいて、上記成分測定部の動作を制御する制御手段と、
を備えることを特徴とする液体クロマトグラフ装置。
【請求項２】
請求項１記載の液体クロマトグラフ装置において、
上記成分測定部は、測定試料をサンプリングするサンプリング手段と、上記サンプリング手段に、溶離液を供給するポンプと、上記サンプリング手段から、測定試料と溶離液とが供給され、測定試料中の特定成分を分離する分離カラムと、上記分離カラムにより分離された特定成分を検出する検出器とを有し、
上記制御手段は、上記サンプリング手段、上記ポンプ、上記分離カラム及び上記検出器の動作を制御し、上記ポンプ、上記分離カラム及び上記検出器の動作開始から安定化に要するまでの安定化時間を計時して記憶し、上記入力手段から指定された分析開始時間に上記ポンプ、上記分離カラム及び上記検出器が安定化するように、上記記憶された安定化時間に従って、上記サンプリング手段、上記ポンプ、上記分離カラム及び上記検出器の動作を制御することを特徴とする液体クロマトグラフ装置。
【請求項３】
請求項２に記載の液体クロマトグラフ装置において、
上記入力手段からは、分析開始時間及び成分測定部の準備動作開始時間が指定され、指定された分析開始時間、指定された準備動作開始時間、上記制御手段が計時した上記安定化時間、及び上記安定化時間に基づいて実際に実行した実準備動作開始時間を表示するデータ表示手段を備えることを特徴とする液体クロマトグラフ装置。
【請求項４】
請求項３に記載の液体クロマトグラフ装置において、
上記制御手段は、上記指定された準備動作開始時間に代えて、上記実準備動作開始時間により、準備動作を開始したことを上記データ表示手段に表示させることを特徴とする液体クロマトグラフ装置。
【請求項５】
請求項４に記載の液体クロマトグラフ装置において、
動作環境センサを備え、上記制御手段は、上記動作環境センサにより測定された動作環境に基づいて、上記指定された準備動作開始時間と、上記実準備動作開始時間との相違理由を分析し、分析した上記相違理由を上記データ表示手段に表示させることを特徴とする液体クロマトグラフ装置。
【請求項６】
請求項１に記載の液体クロマトグラフ装置において、
上記制御手段は、直前に記憶した上記安定化時間に基づいて、上記成分測定部の動作を制御することを特徴とする液体クロマトグラフ装置。
【請求項７】
請求項１に記載の液体クロマトグラフ装置において、
上記制御手段は、記憶した複数の安定化時間の平均値を算出し、算出した平均値に基づいて、上記成分測定部の動作を制御することを特徴とする液体クロマトグラフ装置。
【請求項８】
請求項４に記載の液体クロマトグラフ装置において、
動作環境センサを備え、上記制御手段は、上記動作環境センサにより測定された動作環境とその動作環境で得られた安定化時間とを関連させて記憶し、記憶した動作環境のうち、上記動作環境センサにより測定された動作環境と一致するものがあるか否かを判断し、一致するものがあれば、一致する動作環境に関連して記憶した安定化時間に基づいて、上記成分測定部の動作を制御することを特徴とする液体クロマトグラフ装置。
【請求項９】
請求項４に記載の液体クロマトグラフ装置において、
動作環境センサを備え、上記制御手段は、上記安定化時間に余裕時間を追加して、上記成分測定部の動作を制御し、上記余裕時間は、上記動作環境センサにより測定された動作環境に従って変化させることを特徴とする液体クロマトグラフ装置。
【請求項１０】
請求項２に記載の液体クロマトグラフ装置において、
上記制御手段は、上記ポンプの安定化時間と、上記分離カラムの安定化時間と、上記検出器の安定化時間を加算した時間を装置全体の安定化時間とすることを特徴とする液体クロマトグラフ装置。
【請求項１１】
測定試料中の特定成分を分離し、分離した特定成分を検出する成分測定部と、分析開始時間を指定する入力手段とを備える液体クロマトグラフ装置の準備時間制御方法において、
上記成分測定部の動作を制御し、上記成分測定部の動作開始から安定化に要するまでの安定化時間を計時して記憶し、上記入力手段から指定された分析開始時間に上記成分測定部が安定化するように、上記記憶された安定化時間に基づいて、上記成分測定部の動作を制御することを特徴とする液体クロマトグラフ装置の準備時間制御方法。
【請求項１２】
請求項１１記載の液体クロマトグラフ装置の準備時間制御方法において、
上記成分測定部は、測定試料をサンプリングするサンプリング手段と、上記サンプリング手段に、溶離液を供給するポンプと、上記サンプリング手段から、測定試料と溶離液とが供給され、測定試料中の特定成分を分離する分離カラムと、上記分離カラムにより分離された特定成分を検出する検出器とを有し、
上記サンプリング手段、上記ポンプ、上記分離カラム及び上記検出器の動作を制御し、上記ポンプ、上記分離カラム及び上記検出器の動作開始から安定化に要するまでの安定化時間を計時して記憶し、上記入力手段から指定された分析開始時間に上記ポンプ、上記分離カラム及び上記検出器が安定化するように、上記記憶された安定化時間に従って、上記サンプリング手段、上記ポンプ、上記分離カラム及び上記検出器の動作を制御することを特徴とする液体クロマトグラフ装置の準備時間制御方法。
【請求項１３】
請求項１２に記載の液体クロマトグラフ装置の準備時間制御方法において、
上記入力手段からは、分析開始時間及び成分測定部の準備動作開始時間が指定され、指定された分析開始時間、指定された準備動作開始時間、上記制御手段が計時した上記安定化時間、及び上記安定化時間に基づいて実際に実行した実準備動作開始時間を表示することを特徴とする液体クロマトグラフ装置の準備時間制御方法。
【請求項１４】
請求項１３に記載の液体クロマトグラフ装置の準備時間制御方法において、
上記指定された準備動作開始時間に代えて、上記実準備動作開始時間により、準備動作を開始したことを表示させることを特徴とする液体クロマトグラフ装置の準備時間制御方法。
【請求項１５】
請求項１４に記載の液体クロマトグラフ装置の準備時間制御方法置において、
動作環境センサにより測定された動作環境に基づいて、上記指定された準備動作開始時間と、上記実準備動作開始時間との相違理由を分析し、分析した上記相違理由を表示させることを特徴とする液体クロマトグラフ装置の準備時間制御方法。
【請求項１６】
請求項１１に記載の液体クロマトグラフ装置の準備時間制御方法において、
直前に記憶した上記安定化時間に基づいて、上記成分測定部の動作を制御することを特徴とする液体クロマトグラフ装置の準備時間制御方法。
【請求項１７】
請求項１１に記載の液体クロマトグラフ装置の準備時間制御方法において、
記憶した複数の安定化時間の平均値を算出し、算出した平均値に基づいて、上記成分測定部の動作を制御することを特徴とする液体クロマトグラフ装置の準備時間制御方法。
【請求項１８】
請求項１４に記載の液体クロマトグラフ装置の準備時間制御方法において、
動作環境センサにより測定された動作環境とその動作環境で得られた安定化時間とを関連させて記憶し、記憶した動作環境のうち、上記動作環境センサにより測定された動作環境と一致するものがあるか否かを判断し、一致するものがあれば、一致する動作環境に関連して記憶した安定化時間に基づいて、上記成分測定部の動作を制御することを特徴とする液体クロマトグラフ装置の準備時間制御方法。
【請求項１９】
請求項１４に記載の液体クロマトグラフ装置の準備時間制御方法において、
上記安定化時間に余裕時間を追加して、上記成分測定部の動作を制御し、上記余裕時間は、動作環境センサにより測定された動作環境に従って変化させることを特徴とする液体クロマトグラフ装置の準備時間制御方法。
【請求項２０】
請求項１２に記載の液体クロマトグラフ装置の準備時間制御方法において、
上記ポンプの安定化時間と、上記分離カラムの安定化時間と、上記検出器の安定化時間を加算した時間を装置全体の安定化時間とすることを特徴とする液体クロマトグラフ装置の準備時間制御方法。
【発明の詳細な説明】
【技術分野】
【０００１】
本発明は、液体クロマトグラフ装置に関する。
【背景技術】
【０００２】
液体クロマトグラフ装置の運用においては、保守間隔を出来るだけ延長し効率良く運用を行うために、消耗品である溶媒使用量、ポンプシールの磨耗消費、ランプの点灯時間等を減らすため、分析時間以外はポンプ停止、ランプ消灯状態である休止状態にしている。
【０００３】
休止状態から、次に分析を行う場合には、ポンプ送液の開始、ランプ点灯を行い分析可能状態にすることが一般に行われる。液体クロマトグラフ装置の休止状態から分析状態への移行は、装置の内部温度が一定に安定していない等の条件から数十分から数時間の安定化時間を必要とする。
【０００４】
特許文献１には、クロマトグラフ装置には、クロマトグラフ装置が安定化したか否かを自動的に判断する技術が開示されている。
【先行技術文献】
【特許文献】
【０００５】
【特許文献１】特開２０００−１３６９９９号公報
【発明の概要】
【発明が解決しようとする課題】
【０００６】
ところで、分析者の作業時間に合わせて液体クロマトグラフ装置を効率良く運用するためには、予め作業開始日時を設定し、その時間になると装置を休止状態から分析状態へ自動的に移行させることが考えられる。
【０００７】
しかしながら、分析条件や使用している個々の装置の特性、動作環境により、休止状態から分析状態への移行条件の変動によって装置が安定する時間は変化する。
【０００８】
このため、上述した個々の条件を個別に発見し設定することは困難と考えられ、どのような条件の場合でも、おおよそ対応できるように安定化時間を長めに予想し設定する必要がある。
【０００９】
したがって、必要時間よりも長く装置を動作させることとなり、液体クロマトグラフ装置の消耗を早める可能性がある。
【００１０】
一方、液体クロマトグラフ装置の消耗を抑制することを優先して安定化時間を設定すると、分析者が希望する作業時間と装置の動作開始可能時間とが一致しない場合が発生する。
【００１１】
つまり、一律に決まった時間から一斉に分析を始め、終了しようとすると、個々の試料の分析計画が制限され、液体クロマトグラフ装置の運用効率を下げる可能性がある。
【００１２】
本発明の目的は、消耗品の消費抑制と使用効率の向上化が可能な液体クロマトグラフ装置及び方法を実現することである。
【課題を解決するための手段】
【００１３】
上記目的を達成するため、本発明は次のように構成される。
【００１４】
測定試料中の特定成分を分離し、分離した特定成分を検出する成分測定部と、分析開始時間を指定する入力手段とを有し、上記成分測定部の動作を制御し、上記成分測定部の動作開始から安定化に要するまでの安定化時間を計時して記憶し、上記入力手段から指定された分析開始時間に上記成分測定部が安定化するように、上記記憶された安定化時間に基づいて、上記成分測定部の動作を制御する液体クロマトグラフ装置及び準備時間制御方法。
【発明の効果】
【００１５】
本発明により、液体クロマトグラフ装置運用中の消耗品の消費と使用効率を最適化することができる。
【図面の簡単な説明】
【００１６】
【図１】本発明の一実施例が適用される液体クロマトグラフ装置の概略構成図である。
【図２】図１に示したデータ処理装置の内部機能ブロック図である。
【図３】本発明の実施例における自動準備設定画面の例を示す図である。
【図４】本発明の一実施例におけるポンプ動作の安定化時間の説明図である。
【図５】本発明の一実施例におけるカラムオーブン動作の安定化時間の説明図である。
【図６】本発明の一実施例におけるベースライン安定化時間測定の動作フローチャートである。
【図７】本発明の一実施例におけるベースライン安定化時間の測定説明図である。
【図８】本発明の一実施例における分析前準備完了画面の例を示す図である。
【図９】本発明の一実施例における準備運転時間最適化の一例を示す図である。
【図１０】本発明の一実施例における準備運転時間最適化の他の例を示す図である。
【発明を実施するための形態】
【００１７】
以下、本発明の実施例について、添付図面を参照して説明する。
【実施例】
【００１８】
図１は、本発明の一実施例である液体クロマトグラフ装置の概略構成図である。
【００１９】
図１において、液体クロマトグラフ装置は、溶離液容器に収容された複数種類の溶離液１０１と、ポンプ１０２と、オートサンプラ１０３と、カラムオーブン１０４と、検出器１０５と、データ処理装置（制御手段）１０７と、入力装置１０８と、出力装置１０９とを備える。ポンプ１０２と、オートサンプラ１０３と、カラムオーブン１０４と、検出器１０５とにより、成分測定部が構成される。
【００２０】
溶離液１０１は、ポンプ１０２によって吸引され、オートサンプラ１０３へと送液される。オートサンプラ１０３では、溶離液にサンプルが注入される。サンプルは溶離液と共に、カラムオーブン１０４に送られる。そして、カラムオーブン１０４において、サンプルに含まれる各成分は、カラムオーブン１０４によって恒温維持された分離カラムによって分離される。
【００２１】
分離カラムによって分離された各成分は、検出器１０５によって検出されるとともに、廃液容器１０６に廃棄される。検出器１０５によって得られた検出信号は、データ処理装置１０７に送られ、ディスプレイ及びプリンタ等の出力装置１０９に出力される。
【００２２】
キーボードやマウス等の入力装置１０８は、データ処理装置１０７に接続されており、装置構成情報の設定入力や分析条件の設定入力、および装置の休止状態から分析状態への移行開始時刻の設定に用いられる。
【００２３】
入力された装置構成情報や分析条件、および装置の休止状態から分析状態への移行開始時刻は記憶装置１１０に保存しておくことができる。
【００２４】
また、タイマー１１１によって現在時刻が知ることができ、もし、現在時刻が記憶装置１１０に保存された装置の休止状態から分析状態への移行開始時刻になると、記憶装置１１０に保存された分析条件設定に従って、データ処理装置１０７に接続されているポンプ１０２の送液を開始し、カラムオーブン１０４の昇温を開始し、検出器１０５のランプ点灯（検出器１０５の動作可能を示す）させる機能を有する。
【００２５】
図２は、データ処理装置１０７の内部機構ブロック図である。図２において、データ処理装置１０７は、ポンプ安定化判断部１０７ｂと、カラムオーブン安定化判断部１０７ｃと、ベースライン安定化判断部１０７ｄと、上述した記憶装置１１０と、タイマー１１１と、演算指令部１０７ａとを備える。
【００２６】
ポンプ１０２の送液流量を測定する流量センサ１０２Ｓからの流量測定信号がポンプ安定化判断部１０７ｂに出力され、カラムオーブン１０４のカラム温度を測定する温度センサ１０４Ｓからの温度測定信号がカラムオーブン安定化判断部１０７ｃに出力される。
【００２７】
また、検出器１０５で検出された試料の各成分のデータがベースライン安定化判断部１０７ｄに出力される。
【００２８】
また、ポンプ安定化判断部１０７ｂ、カラムオーブン安定化判断部１０７ｃ、ベースライン安定化判断部１０７ｄからの出力信号は、演算指令部１０７ａに出力される。
【００２９】
さらに、記憶装置１１０からのデータの取り出しや格納が演算指令部１０７ａによって行われ、タイマー１１１により計時された計時情報が演算子指令部１０７ａに供給される。
【００３０】
また、演算指令部１０７ａは、出力装置１０９、検出器１０５、カラムオーブン１０４、オートサンプル１０３、ポンプ１０２に動作指令信号を供給する。
【００３１】
さらに、演算指令部１０７ａは、使用温度や湿度等の使用環境を測定する動作環境センサ１１２からの測定出力が供給される。
【００３２】
図３は、図１に示した出力装置１０９のディスプレイに表示される画面例を示す図であり、本発明の実施例における自動準備設定画面の例を示す図である。
【００３３】
図３において、液体クロマトグラフ装置に使用する分析者が、例えば、翌日の朝９時に作業を始めたい場合、設定項目表示部２０１の作業開始時刻に「ＡＭ９：００」と入力する。
【００３４】
次に、設定項目表示部２０２の準備予定時間に分析者が予想する休止状態から分析状態への移行時間を入力する。この例では、準備予定時間として「４：００（４時間）」が設定されている。
【００３５】
次に、設定項目表示部２０３のノイズ許容値において検出器１０５から得られる検出信号のノイズの許容値を設定する。この例では、ノイズ許容値は、「１０００」となっている。
【００３６】
また、設定項目表示部２０４のドリフト許容値においては、検出器１０５から得られる検出信号のドリフトの許容値を設定する。この例では、ドリフト許容値は、「１５００」となっている。
【００３７】
設定項目表示部２０１から設定項目表示部２０４に入力されたデータは、記憶装置１１０に保存される。
【００３８】
図３に示した例のように、準備予定時間を「４：００」と設定した場合、作業開始時刻の４時間前である「ＡＭ５：００」に、演算指令部１０７ａは、記憶装置１１０に保存された分析条件に従い、ポンプ１０２の送液開始、カラムオーブン１０４の昇温開始、検出器１０５のランプの点灯といった準備動作を行い休止状態から分析状態へ移行を開始する。
【００３９】
以下、準備動作開始後の動作について説明する。
【００４０】
図４は、分析準備中のポンプ１０２の動作説明図である。図４のグラフの縦軸３０１は流量であり、横軸３０２は時間である。液体クロマトグラフ装置が、休止状態から分析状態へ移行開始するとき、記憶装置１１０に保存された分析条件に従いポンプ１０２は送液を開始する。
【００４１】
流量センサ１０２Ｓからの出力信号に基づいて、ポンプ安定化判断部１０７ｂが分析者により予め設定された流量３０３に達するまでの時間を判断し、ポンプ安定化時間３０４として、演算指令部１０７ａを介して記憶装置１１０に記録される。
【００４２】
図５は、分析準備中のカラムオーブン１０４の動作説明図である。図５のグラフの縦軸４０１はカラムオーブン１０４のオーブン温度であり、横軸４０２は時間である。
【００４３】
図５において、カラムオーブン１０４の動作開始後、カラムオーブン安定化判断部１０７ｃは、記憶装置１１０に保存された分析条件に従い、温度センサ１０４Ｓからの温度データに基づき、オーブン温度が上昇して、設定温度４０３＋トレランス温度４０４〜設定温度４０３−トレランス温度４０４内（設定温度範囲内）に入ったか否かを判断する。
【００４４】
カラムオーブン温度が、設定温度範囲内に入った時点からウェイトタイム時間４０５にわたってその範囲内の温度が維持された場合、カラムオーブン１０４は安定したと判断して、カラムオーブン１０４の昇温開始から安定化終了までかかった時間をカラムオーブン安定化時間４０６として、演算処理部１０７ａは、記憶装置１１０に記録する。
【００４５】
もし、ウェイトタイム時間４０５中に温度が範囲外になってしまった場合、再び設定温度範囲内に入るまで待つ。
【００４６】
図６は、ベースラインチェックの動作フローチャートを示す図である。図４に示したポンプ１０２の安定化および図５に示したカラムオーブン１０４の安定化が済んだ後、検出器１０５で検出された検出信号をデータ処理装置１０７のベースライン安定化判断部１０７ｄへ取り込みベースラインのチェックを開始する。
【００４７】
ポンプ１０２の安定化およびカラムオーブン１０４の安定化が終了したことは、演算指令部１０７ａが、ポンプ安定化判断部１０７ｂ及びカラムオーブン安定化判断部１０７ｃからの信号により判断し、ベースラインのチェック開始をベースライン安定化判断部１０７ｄに指令する。
【００４８】
図６のステップ５０１において、ベースラインチェックの開始後、１０分間待機する。その後、検出器１０５から取得した検出信号を、ベースライン安定化判断部１０７ｄ、演算指令部１０７ａを介して記憶装置１１０に１分間記録する（ステップ５０２）。
【００４９】
次に、ベースライン安定化判断部１０７ｄは、記録した検出信号を用いてノイズを計算する（ステップ５０３）。
【００５０】
次に、ベースライン安定化判断部１０７ｄは、検出信号のドリフトの計算を行う（ステップ５０４）。ステップ５０３とステップ５０４で計算したノイズとドリフトとの値が、図３に示した設定表示項目２０３と設定表示項目２０４とで設定したノイズ許容値、ドリフト許容値以下であるか否かを判定する（ステップ５０５）。
【００５１】
ベースライン安定化判断部１０７ｄは、ノイズとドリフトが共に許容値内であるとき、ベースラインチェックの開始時刻から現在時刻までの時間差によりベースライン安定化時間を計算し、演算指令部１０７ａを介して記憶装置１１０に保存する（ステップ５０６）。
【００５２】
ステップ５０５にてノイズまたはドリフトが許容値内にない場合、ステップ５０１へ戻る。
【００５３】
図７は、ベースライン安定化時間の測定例を示す図である。図７において、本例では、ベースラインチェックを開始した時点６０１から、１０分間の待機時間６０２をとり、その後、１分間ベースラインチェック時間６０３を設ける。
【００５４】
本実施例では、これを３回行ったとき、ノイズ・ドリフトチェック終了６０４している。したがって、この例におけるベースライン安定化時間６０５は、３３分となる。
【００５５】
図８は、出力装置１０９であるディスプレイに表示される分析前準備完了画面の例を示す図である。図８において、項目７０１には、本実施例の液体クロマトグラフ装置が置かれる環境の気温（動作環境センサ１１２により測定される）を表示する。また、この気温は、今回の準備動作時間における環境情報として記憶装置１１０に保存される。
【００５６】
項目７０２にタイマー１１１によって得られる現在の時刻を示す。そして、項目７０３に検出器１０５より取得されている検出信号を表示する。表示されているグラフの横軸は時間、縦軸は電圧である。
【００５７】
項目７０４は検出器１０５より得られた１分間の検出信号を計算して得たノイズ値、項目７０５は分析者が図３の設定表示項目２０３で設定したノイズの許容値を表示する。また、項目７０６は検出器１０５より得られた１分間の検出信号を計算して得たドリフト値を示し、項目７０７は分析者が図３の設定表示項目２０４で設定したドリフトの許容値を示す。
【００５８】
項目７０８には、装置の安定化に要した時間（実準備動作開始時間）が表示されている。この安定化に要した時間は、ポンプ１０２の流量が安定するまでのポンプ安定化時間とカラムオーブン１０４のオーブン温度が設定温度を安定して保つまでに要したカラムオーブン安定化時間とベースラインチェックにおいてノイズとドリフトが許容値以下になるまでに要したベースライン安定化時間を積算した値である。この積算は、演算指令部１０７ａが実行する。
【００５９】
項目７０９には、液体クロマトグラフ装置の準備を開始した時刻が表示されている。この実施例では、装置の準備を開始した時刻はＡＭ５：００で装置安定化に要した時間は２時間である。
【００６０】
この画面で表示されている装置安定化に要した時間は、データ処理装置１０７内の記憶装置１１０に保存される。項目７１０には、装置の準備開始を自動補正した場合の理由が表示される。例えば、装置が置かれる環境の温度とカラムオーブン１０４の設定温度との差が余り無く、カラムオーブン１０４の設定温度への到達が早いなどの理由で、装置の準備開始時刻を自動補正したときに、その旨が自働的に表示される。
【００６１】
また、今回記憶された準備時間は、図３の準備予定時間設定項目２０２の自動補正に利用される。
【００６２】
図９は、本発明の実施例を利用した場合の分析前準備時間の違いを示す図である。
【００６３】
図９において、初回の準備運転８０１では、分析者はＡＭ９：００の作業予定時刻８０２に合わせて、液体クロマトグラフ装置の準備が整っているようにするために、休止状態から分析状態へ自動的に移行させる予定日時８０３を翌日作業予定であるＡＭ９：００の４時間前のＡＭ５：００に設定している。
【００６４】
この例では、ポンプ１０２の安定化時間８０４、カラムオーブン１０４の安定化時間８０５、ベースラインの安定化時間８０６を合計した準備動作時間８０７は２時間しか要していない。この準備動作時間８０７を次回の準備運転開始時刻の補正に使用する。
【００６５】
２回目の準備運転８０８においては、準備開始時刻８０９を自動補正し、余裕時間を１０分として、ＡＭ６：５０とする。装置はＡＭ６：５０に準備を開始し、ポンプ１０２の安定化時間８１０、カラムオーブン１０４の安定化時間８１１、ベースラインの安定化時間８１２を経て、ＡＭ９：００の作業予定時刻８０２の前に安定化が終了する。
【００６６】
これにより、分析者の作業予定時刻８０２であるＡＭ９：００になる頃に合わせて装置準備を整わせることが可能である。なお、上記余裕時間は、任意に設定可能であり、１０分に限らず、５分、１５分や２０分に設定することもできる。
【００６７】
図１０は、分析者の作業時間となっても装置の準備が整っていない場合の例を説明する図である。
【００６８】
図１０において、初回の準備運転９０１において、分析者はＡＭ９：００の作業予定時刻９０２に合わせて、装置の準備が整っているようにするために、休止状態から分析状態へ自動的に移行させる予定日時９０３を翌日作業予定であるＡＭ９：００の３時間前のＡＭ６：００に設定している。
【００６９】
この例では、ポンプ１０２の安定化時間９０４、カラムオーブン１０４の安定化時間９０５、ベースラインの安定化時間９０６を合計した準備動作時間９０７は３時間３０分を要している。
【００７０】
この準備動作時間９０７を、次回の準備運転開始時刻の補正に使用する。２回目の準備運転９０８においては、準備開始時刻９０９を自動補正し、ＡＭ５：２０とする。装置はＡＭ５：２０に準備を開始し、ポンプ１０２の安定化時間９１０、カラムオーブン１０４の安定化時間９１１、ベースラインの安定化時間９１２を経て、ＡＭ９：００の作業予定時刻９０２の前に安定化が終了する。
【００７１】
これにより、分析者の作業予定時刻９０２であるＡＭ９：００になる頃に合わせて装置準備を整わせることが可能である。
【００７２】
本発明の他の実施例としては、自動補正する準備動作時間は、複数回における装置の休止状態から分析状態への移行時間の平均を利用しても良い。この場合、使用条件により、重み付けを行ない、加重平均を行なうこともできる。例えば、直近のデータ程、大となる値を付加することも可能である。
【００７３】
また、例えば、動作環境センサ１１２により測定された、装置準備開始時における周囲温度とカラム自体の温度との差等の使用環境と、実際に要した準備時間との相関関係のデータを蓄積し、蓄積したデータに基づいて、そのときの使用環境に応じて、上記余裕時間や準備動作時間（安定化時間）を変更するように構成することも可能である。
【００７４】
さらに、直近に記憶した安定化時間に従って、準備動作を開始してもよい。
【００７５】
以上のように、本発明によれば、液体クロマトグラフ装置の、実際に要した装置準備時間を計時して記憶し、記憶した装置準備時間に基づいて、装置準備動作開始時間を自動的に設定するように構成している。
【００７６】
したがって、消耗品の消費抑制と使用効率の向上化が可能な液体クロマトグラフ装置及び液体クロマトグラフ装置の準備時間制御方法を実現することができる。
【符号の説明】
【００７７】
１０１・・・溶離液、１０２・・・ポンプ、１０３・・・オートサンプラ、１０４・・・カラムオーブン、１０５・・・検出器、１０６・・・廃液容器、１０７・・・データ処理装置、１０７ａ・・・演算指令部、１０７ｂ・・・ポンプ安定化判断部、１０７ｃ・・・カラムオーブン安定化判断部、１０７ｄ・・・ベースライン安定化判断部、１０８・・・入力装置、１０９・・・出力装置、１１０・・・記憶装置、１１１・・・タイマー、１１２・・・動作環境センサ
【図１】
2011099704.tif 000003
【図２】
2011099704.tif 000004
【図３】
2011099704.tif 000005
【図４】
2011099704.tif 000006
【図５】
2011099704.tif 000007
【図６】
2011099704.tif 000008
【図７】
2011099704.tif 000009
【図８】
2011099704.tif 000010
【図９】
2011099704.tif 000011
【図１０】
2011099704.tif 000012